(57)【要約】【課題】換気ユニットの取付作業と同時に防音スリーブの取付作業ができ、取付作業の二度手間を解消し、環境等の変化により防音が必要になった時、後付で防音スリーブを簡単に取付ができ、さらに換気ユニットを取り付ける貫通孔に必ずしも防音スリーブ取付分のスペースを確保する必要のない換気ユニットを提供する。【解決手段】外枠体Ａと、外枠体Ａの内側に着脱可能に挿入される本体Ｂからなり、本体Ｂは、少なくとも内筒部２２と、フィルターＦと、防音スリーブＰとを備え、フィルターＦは、内筒部２２に設けられた支持アーム２４と、防音スリーブＰとの間に挟んで保持され、防音スリーブＰは、この防音スリーブＰに設けられた係脱手段３７と、内筒部２２に設けられた係脱手段２８とによって、この内筒部２２に着脱自在として取り付けられている。【選択図】図１
2018031509.tif 000002
【特許請求の範囲】
【請求項１】
外枠体（Ａ）と、外枠体（Ａ）の内側に着脱可能に挿入される本体（Ｂ）からなり、本体（Ｂ）は、少なくとも内筒部（２２）と、フィルター（Ｆ）と、防音スリーブ（Ｐ）とを備え、フィルター（Ｆ）は、内筒部（２２）に設けられた支持アーム（２４）と、防音スリーブ（Ｐ）との間に挟んで保持され、防音スリーブ（Ｐ）は、この防音スリーブ（Ｐ）に設けられた係脱手段（３７）と、内筒部（２２）に設けられた係脱手段（２８）とによって、この内筒部（２２）に着脱自在として取り付けられていることを特徴とする換気ユニット。
【請求項２】
前記内筒部（２２）は、内筒前部（２２ａ）と内筒後部（２２ｂ）とからなるものとし、前記係脱手段（２８）は、内筒後部（２２ｂ）の前側、後側にそれぞれ設けた係止部（２８ａ、２８ｂ）からなるものとし、前記係脱手段（３７）は、前記係止部（２８ａ、２８ｂ）のいずれかに係合する突起からなるものとしていることを特徴とする請求項１記載の換気ユニット。
【請求項３】
前記外枠体（Ａ）に設けられた係合部（１２）と本体（Ｂ）の内筒前部（２２ａ）の開口端部に設けられた係合手段（２１）とが係合すると共に、外枠体（Ａ）の外筒部（１１）に設けられた突起（１６）と、本体（Ｂ）の内筒後部（２２ｂ）に設けられた係合具（２７）とが係合するようにしていることを特徴とする請求項２記載の換気ユニット。
【発明の詳細な説明】
【技術分野】
【０００１】
この発明は、防音スリーブを備えた換気ユニットに関するものである。
【背景技術】
【０００２】
従来の防音スリーブとしては、図７に示したように、軟質の発泡ポリウレタン樹脂からなる円柱状体１０１の内部に、その円周部と平行に複数の通気孔１０２を設けたものが存在する（非特許文献１）。
【０００３】
さらに、従来の防音スリーブとしては、図８に示したように、ド−ナツ形の円筒状体２０１の前側（室内側）に軟質の発泡ポリウレタン樹脂からなる吸音材２０２を設け、この円筒状体２０１の後側（室外側）にグラスウールからなる吸音材２０３を設けたものが存在する（非特許文献２）。
【０００４】
また、従来の換気ユニットとしては、図９に示したように、外枠体Ａと、外枠体Ａの内側に着脱可能とした本体Ｂからなるものとしており、本体Ｂは、伸縮機構ＣおよびフィルターＦを備えている。そして、外枠体Ａは、壁に設けた貫通孔Ｈに取り付けられる外筒部３０１と、外筒部３０１の前側に位置して室内側に露出する鍔部３０２からなる。さらに、本体Ｂは、伸縮機構Ｃと連結可能な取付部が突設された蓋体３０３を有したものとしている（特許文献１）。
【０００５】
そして、このような従来の換気ユニットが取り付けられた貫通孔Ｈの後側（室外側）には、図１０、１１に示したように、換気ユニットに隔てたり、換気ユニットに差し込むなどして、前記従来の防音スリーブが取り付けられている。
【先行技術文献】
【特許文献】
【０００６】
【非特許文献１】吸音パイプ（大建プラスチックス株式会社）〔平成２８年７月２８日検索〕、インターネット＜http://www.daikenplastics.co.jp/goods/04＿d/75-206ns.html ＞
【非特許文献２】吸音スリーブ（大建プラスチックス株式会社）〔平成２８年７月２８日検索〕、インターネット＜http://www.daikenplastics.co.jp/goods/04＿d/100ns2.html ＞
【特許文献１】特開２０１４−１２６２１１号公報
【発明の概要】
【発明が解決しようとする課題】
【０００７】
しかしながら、上記従来のように換気ユニットの後側の貫通孔Ｈに防音スリーブを取り付けるには、取り付けられるだけのスペースを必ず確保しなければならないという課題を有していた。
【０００８】
さらに、上記従来の非特許文献２については、防音スリーブと換気口を接着しなければならないため、換気口を壁から取外して施工するという手間がかかり、環境等の変化により防音が必要になった時、換気ユニットの取付作業と防音スリーブの取付作業が同時に行えず二度手間になるという課題を有していた。
【０００９】
そこで、この発明は、上記従来の課題を解決するものであり、換気ユニットに防音スリーブを備えたものとすることにより、環境等の変化により防音が必要になった時、後付で防音スリーブを簡単に取付ができ、しかも換気ユニットの取付作業と同時に防音スリーブの取付ができ、取付作業の二度手間を解消し、さらに換気ユニットを取り付ける貫通孔に必ずしも防音スリーブ取付分のスペースを確保する必要のない換気ユニットを提供することを目的としてなされたものである。
【課題を解決するための手段】
【００１０】
この発明の換気ユニットは、外枠体Ａと、外枠体Ａの内側に着脱可能に挿入される本体Ｂからなり、本体Ｂは、少なくとも内筒部２２と、フィルターＦと、防音スリーブＰとを備え、フィルターＦは、内筒部２２に設けられた支持アーム２４と、防音スリーブＰとの間に挟んで保持され、防音スリーブＰは、この防音スリーブＰに設けられた係脱手段３７と、内筒部２２に設けられた係脱手段２８とによって、この内筒部２２に着脱自在として取り付けられている。
【００１１】
この発明の換気ユニットにおいて、前記内筒部２２は、内筒前部２２ａと内筒後部２２ｂとからなるものとし、前記係脱手段２８は、内筒後部２２ｂの前側、後側にそれぞれ設けた係止部２８ａ、２８ｂからなるものとし、前記係脱手段３７は、前記係止部２８ａ、２８ｂのいずれかに係合する突起からなるものとしている。
【００１２】
この発明の換気ユニットにおいて、前記外枠体Ａに設けられた係合部１２と本体Ｂの内筒前部２２ａの開口端部に設けられた係合手段２１とが係合すると共に、外枠体Ａの外筒部１１に設けられた突起１６と、本体Ｂの内筒後部２２ｂに設けられた係合具２７とが係合するようにしている。
【発明の効果】
【００１３】
この発明の換気ユニットは、以上に述べたような構成としているので、換気ユニットの取付作業と同時に防音スリーブの取り付け作業ができ、取付作業が簡単、迅速に行える。また、環境等の変化により防音が必要になった時、後付で簡単に防音対応が可能となる。
【００１４】
さらに、この発明の換気ユニットは、換気ユニットの外枠体に防音スリーブが取り付けられているので、防音スリーブ部分がたとえ貫通孔の外（室内）に露出したとしても落下することがないので、貫通孔に必ずしも防音スリーブの取付分のスペースを確保する必要がなく、短長の貫通孔にも簡単に取り付けることができる。
【００１５】
また、この発明の換気ユニットは、換気ユニットに防音スリーブが着脱自在に取り付けられているので、フィルターの取替時などに、防音スリーブを清掃したり、取り替えることができる。
【図面の簡単な説明】
【００１６】
【図１】この発明の換気ユニットを前側から見た状態を示す分解斜視図である。
【図２】この発明の換気ユニットを後側から見た状態を示す分解斜視図である。
【図３】この発明の換気ユニット（外筒を除く）を後側から見た状態を示す斜視図である。
【図４】この発明の換気ユニットを半断面して後側から見た状態を示す斜視図である。
【図５】この発明の換気ユニットの断面図である。
【図６】この発明の換気ユニットを貫通孔に取り付けて、伸縮機構を伸長させた状態を示す断面図である。
【図７】従来の防音パイプを示しており（ａ）は斜視図であり、（ｂ）は断面図である。
【図８】従来の防音スリーブを示しており（ａ）は斜視図であり、（ｂ）は断面図である。
【図９】従来の換気ユニットの断面図である。
【図１０】従来の換気ユニットを貫通孔に取り付けて、伸縮機構を伸長させた状態にし、その貫通孔の後側（室外側）に防音パイプを取り付けた状態を示す断面図である。
【図１１】従来の換気ユニットを貫通孔に取り付けて、伸縮機構を伸長させた状態にし、その貫通孔の後側（室外側）に防音スリーブを取り付けた状態を示す断面図である。
【発明を実施するための形態】
【００１７】
以下、この発明の換気ユニットを実施するための形態を、図面に基づいて詳細に説明する。
【００１８】
この発明の換気ユニットは、図１〜５に示したように、外枠体Ａと、外枠体Ａの内側に着脱可能に挿入される本体Ｂからなるものとしている。なお、この発明において、建物の壁に設けられた貫通孔Ｈにこの発明の換気ユニットを取り付けたとき、室内側に露出するシャッターＳ側を前側とし、外枠体Ａが嵌入された建物側を後側とする。
【００１９】
外枠体Ａは、前記貫通孔Ｈに嵌入される外筒部１１と、外枠体Ａの内部に挿入した本体Ｂの開口端部に設けられた係合手段２１と係合される係合部１２と、シャッターＳが嵌合する嵌合凹部１３と、室内側に露出する鍔部１４とを備えている。
【００２０】
外筒部１１は、略円筒状に形成されており、軸方向に貫通孔を有し、両端が開口している。外筒部１１の前方端部に、シャッターＳが嵌合可能な矩形の嵌合部１５が形成されている。嵌合部１５は、外筒部１１の前方端部近傍に延設された、環状の係合部１２と、その係合部１２からさらに延設された前記嵌合凹部１３を有し、その嵌合凹部１３の端縁から前記鍔部１４が形成されている。
【００２１】
本体Ｂは、シャッターＳを開閉させる伸縮機構Ｃを支持する内筒部２２と、この内筒部２２に設けられた受け部２３および支持アーム２４と、フィルターＦと、防音スリーブＰとを備えている。
【００２２】
内筒部２２は、内筒前部２２ａと内筒後部２２ｂとからなる。内筒前部２２ａは、略中空円筒状に形成されており、略中央位置の軸方向に伸縮機構Ｃが備えられており、後端部にはフィルターＦを備えている。内筒前部２２ａの前端部には径方向の外側に向けてフランジ状の開口縁部２５が設けられ、この開口縁部２５には径方向の外側に向けて前記係合手段２１が設けられている。
【００２３】
内筒後部２２ｂは、内筒前部２２ａより小径の略中空円筒状に形成されており、その前側端を内筒前部２２ａの後側端に一体としており、その後側端の周囲に等間隔で４か所に切欠部２６が形成されている。各切欠部２６には、前記外枠体Ａの外筒部１１の略Ｌ字状の突起１６に係合する係合具２７と、防音スリーブＰとの係脱手段２８が設けられている。
【００２４】
なお、内筒部２２は、図示したものでは、内筒前部２２ａと内筒後部２２ｂとを一体成形品としているが、内筒前部２２ａと内筒後部２２ｂとを別体として成形し、これらを連結したものとしてもよい。
【００２５】
係合具２７は、切欠部２６の内側において後方に延び、その自由端（後端）側が内筒後部２２ｂの半径方向に揺動可能であり、外枠体Ａと本体Ｂの相対回転にともなって前記略Ｌ字状の突起１６と係脱できるようになっている。
【００２６】
係脱手段２８は、それぞれいずれかの周回方向に延びるように形成された前側、後側の２つで１組の凹部とした係止部２８ａ、２８ｂからなるものとしており、これを利用して、防音スリーブＰが取り付けられるようにしている。
【００２７】
シャッターＳは、本体Ｂの開口を塞ぐことができると共に、本体Ｂの開口とシャッターＳとの間に生じる給気口５０の適宜の一部を遮断するものである。シャッターＳは、蓋体４１と、弾性部材４２とを有している。蓋体４１の略中央には、伸縮機構Ｃとの取付部４３が後方に向かって突設されている。
【００２８】
伸縮機構Ｃは、内筒前部２２ａの内周面の４カ所から内径方向に延出して、内筒前部２２ａ内で略十字状に形成された支持アーム２４の略中心に支持された受け部２３に取り付けられ、本体Ｂの略中央に配置されている。この伸縮機構Ｃは、２つのスライダ２９ａ、２９ｂが付勢手段３０によって前後方向に進退可能に組み合わされているもので、本体Ｂに取り付けられたシャッターＳが、その伸縮機構Ｃによって開閉可能となる。
【００２９】
なお、この発明の換気ユニットは、図示した実施形態では、シャッターＳが伸縮機構Ｃによって開閉可能となるようにしているが、シャッターＳや伸縮機構Ｃを備えることなく、内筒部２２の内筒前部２２ａの前側に換気ガラリ（図示せず）を取り付けた常時開放形式のものとしてもよい。
【００３０】
フィルターＦは、支持アーム２４の後側に取り付けられ、支持アーム２４と、防音スリーブＰとの間に挟んで保持されものであり、中央に伸縮機構Ｃが貫通する貫通孔３１を設けている。フィルターＦは、２種類の厚みの異なるものを適宜選択して使用することができる。
【００３１】
防音スリーブＰは、内筒後部２２ｂの内側に嵌る略円筒状に形成され胴体３２を有しており、その前側内部に中央の小円筒部３３と半径方向に延びる４つの直線部３４を有し、後側内部に孔３５を中央に有したドーナツ形状の防音材３６が収納されており、内筒後部２２ｂとの係脱手段３７として、前記係脱手段２８の係止部２８ａ、２８ｂのいずれかに係合する突起が胴体３２の前側端に形成されている。この防音スリーブＰに設けられた係脱手段３７と、内筒後部２２ｂに設けられた係脱手段２８とによって、防音スリーブＰが内筒後部２２ｂに着脱自在として取り付けられている。前記直線部３４は、支持アーム２４と防音スリーブＰとの間に挟んだフィルターＦを後側から押さえ付けることにより、支持アーム２４と防音スリーブＰとの間でフィルターＦが移動しないように保持するものである。防音材３６としては、軟質の発泡ポリウレタン樹脂からなるものとしているが、特に限定されるものではない。
【００３２】
以上のように構成されたこの発明の換気ユニットは、本体Ｂの内筒後部２２ｂ内にフィルターＦを配置し、その後方から防音スリーブＰを押し込み、後方からみてこの防音スリーブＰを時計回りに回転させて、その外周部の係脱手段３７を前側または後側の係止部２８ａ、２８ｂに係止させる。この場合、前記したように厚みが小さいフィルターＦを使用する場合は、各切欠部２６の前側の係止部２８ａに係止させ、厚みが大きいフィルターＦを使用する場合は、各切欠部２６の後側の係止部２８ｂに係止させる。
【００３３】
そして、この発明の換気ユニットは、外枠体Ａの内側に本体Ｂを挿入し、本体Ｂを時計回り（閉方向）に回転させることにより、外枠体Ａに設けられた係合部１２と本体Ｂの開口端部に設けられた係合手段２１とが係合すると共に、外枠体Ａの外筒部１１の略Ｌ字状の突起１６と、内筒後部２２ｂの係合具２７とが係合し、外枠体Ａと本体Ｂがしっかりと結合し、一体化される。また、本体Ｂを反時計回り（開方向）に回転させることにより、係合部１２と係合手段２１との係合、および突起１６と係合具２７の係合が解除され、前記外枠体Ａから本体Ｂを分離することができる。
【００３４】
以上に述べたように、この発明の換気ユニットは、内筒部２２の内筒後部２２ｂに防音スリーブＰが着脱自在として取り付けられているので、この防音スリーブＰを取り付けたまま、建物の壁に設けられた貫通孔Ｈに取り付ければ、換気ユニットの取付作業と同時に防音スリーブＰの取付作業ができ、取付作業の二度手間を解消することができ、その取付作業が簡単、迅速に行えるものとなる。
【００３５】
さらに、この発明の換気ユニットは、建物の壁に設けられた貫通孔Ｈに取り付けたとき、防音スリーブＰ部分がたとえ貫通孔の外（室内）に露出したとしても、内筒部２２の内筒後部２２ｂに取り付けられているので、落下することがない。したがって、貫通孔Ｈに必ずしも防音スリーブＰの取付分のスペースを確保する必要がなく、短長の貫通孔にも簡単に取り付けることができるものとなる。
【００３６】
また、この発明の換気ユニットは、内筒部２２の内筒後部２２ｂに防音スリーブＰが着脱自在として取り付けられているので、フィルターＦの取替時などに、防音スリーブＰを清掃したり、新しいものに取り替えることができるものとなる。
【符号の説明】
【００３７】
１２  係合部
１６  突起
２１  係合手段
２２  内筒部
２２ａ  内筒前部
２２ｂ  内筒後部
２４  支持アーム
２７  係合具
２８  係脱手段
２８ａ  係止部
２８ｂ  係止部
３７  係脱手段
Ａ  外枠体
Ｂ  本体
Ｆ  フィルター
Ｐ  防音スリーブ
【図１】
2018031509.tif 000003
【図２】
2018031509.tif 000004
【図３】
2018031509.tif 000005
【図４】
2018031509.tif 000006
【図５】
2018031509.tif 000007
【図６】
2018031509.tif 000008
【図７】
2018031509.tif 000009
【図８】
2018031509.tif 000010
【図９】
2018031509.tif 000011
【図１０】
2018031509.tif 000012
【図１１】
2018031509.tif 000013